【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
１又は複数の情報処理装置と、蓄積印刷用プリントサーバと、印刷管理サーバと、１又は複数の印刷装置とが通信媒体を介して通信可能なプリントシステムであって、
前記蓄積印刷用プリントサーバは、
前記情報処理装置で生成された印刷データを格納する格納手段と、
前記格納手段で格納された前記印刷データを特定する情報を含む書誌情報データを前記印刷管理サーバに送信する書誌情報データ送信手段と、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、
前記印刷データ出力手段で印刷データを出力したことにより得られる前記印刷データが印刷実行できたか否かを判定可能な情報と当該印刷データを特定する情報を含む出力結果を前記印刷管理サーバに通知する通知手段とを有し、
前記印刷管理サーバは、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知手段とを有し、
前記印刷装置は、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷する印刷手段と、
前記受信手段で受信した一覧を表示する表示手段と、
前記受信手段で受信した印刷結果に従って、印刷実行できたと判定される印刷データを前記表示手段で表示した一覧から削除する削除手段とを有する
ことを特徴とするプリントシステム。
【請求項２】
前記印刷装置は、
前記印刷手段で印刷が完了した印刷データを特定する情報を取得する取得手段を更に有し、
前記削除手段は、前記取得手段で取得した印刷データを特定する情報と、前記受信手段で受信した印刷結果に含まれる印刷データを特定する情報とが一致することで、前記一覧から削除する
ことを特徴とする請求項１に記載のプリントシステム。
【請求項３】
前記印刷装置は、
前記一覧からの削除に従って、前記蓄積印刷用プリントサーバの印刷データを削除するべく、前記印刷管理サーバに削除要求する削除要求手段を更に有する
ことを特徴とする請求項２に記載のプリントシステム。
【請求項４】
前記表示手段は、前記受信手段で受信した印刷結果に従って特定される印刷実行できなかったと判定される印刷データを識別可能な情報を表示することを特徴とする請求項１乃至３のいずれか１項に記載のプリントシステム。
【請求項５】
前記印刷管理サーバは、
前記出力結果に従って特定される印刷実行できなかった印刷データに対応する書誌情報データに、当該印刷データが印刷実行できなかったことを示す情報を対応付けて記憶する印刷結果記憶手段を有することを特徴とする請求項１乃至４のいずれか１項に記載のプリントシステム。
【請求項６】
前記印刷装置は、前記印刷管理サーバに、印刷結果の問い合わせ要求を送信する問合要求送信手段を有し、
前記印刷管理サーバは、前記印刷装置から印刷結果の問い合わせ要求を受信する問合要求受信手段を有し、
前記印刷結果通知手段は、前記問合要求受信手段での印刷結果の問い合わせ要求に従って、前記印刷装置に前記印刷結果を通知することを特徴とする請求項１乃至５のいずれか１項に記載のプリントシステム。
【請求項７】
前記蓄積印刷用プリントサーバから前記印刷管理サーバに通知する出力結果に含まれる印刷実行できたか否かを判定可能な情報は、当該蓄積印刷用プリントサーバのオペレーティングシステムから得られるエラー情報であることを特徴とする請求項１乃至６のいずれか１項に記載のプリントシステム。
【請求項８】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、印刷データを特定する情報を含む一覧と印刷結果とを受信し、受信した一覧を表示し、ユーザの指定に応じて出力指示された、当該印刷装置で印刷する印刷データを特定する情報を含む印刷要求信号を送信し、印刷要求信号に応じて、前記蓄積印刷用プリントサーバから送信される印刷データを受信して印刷し、受信した印刷結果に従って、印刷実行できたと判定される印刷データを一覧から削除する１又は複数の印刷装置と通信媒体を介して通信可能な印刷管理サーバであって、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知手段とを有する
ことを特徴とする印刷管理サーバ。
【請求項９】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、前記蓄積印刷用プリントサーバから受信した前記印刷データを特定する情報を含む書誌情報データを記憶管理し、前記印刷データを特定する情報を含む一覧を送信し、当該送信された一覧からユーザによって出力指示された印刷データを特定する情報を含む印刷要求信号を受信し、受信した印刷要求信号に含まれる印刷データを特定する情報に対応する印刷データを出力すべく、当該印刷データを格納している前記蓄積印刷用プリントサーバに対して、印刷装置および前記印刷データを特定する情報を含む印刷命令信号を出力し、前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷管理サーバと通信媒体を介して通信可能な印刷装置であって、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷する印刷手段と、
前記受信手段で受信した一覧を表示する表示手段と、
前記受信手段で受信した印刷結果に従って、印刷実行できたと判定される印刷データを前記表示手段で表示した一覧から削除する削除手段とを有する
ことを特徴とする印刷装置。
【請求項１０】
１又は複数の情報処理装置と、蓄積印刷用プリントサーバと、印刷管理サーバと、１又は複数の印刷装置とが通信媒体を介して通信可能なプリントシステムの制御方法であって、
前記蓄積印刷用プリントサーバが、
前記情報処理装置で生成された印刷データを格納する格納ステップと、
前記格納ステップで格納された前記印刷データを特定する情報を含む書誌情報データを前記印刷管理サーバに送信する書誌情報データ送信ステップと、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力ステップと、
前記印刷データ出力ステップで印刷データを出力したことにより得られる前記印刷データが印刷実行できたか否かを判定可能な情報と当該印刷データを特定する情報を含む出力結果を前記印刷管理サーバに通知する通知ステップとを実行し、
前記印刷管理サーバが、
前記蓄積印刷用プリントサーバから受信した前記印刷データを特定する情報を含む書誌情報データを記憶管理する書誌情報データ記憶ステップと、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信ステップと、
当該印刷要求信号受信ステップで受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力ステップと、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知ステップとを実行し、
前記印刷装置が、
前記印刷管理サーバから前記印刷データを特定する情報を含む一覧と、前記印刷結果とを受信する受信ステップと、
ユーザの指定に応じて出力指示された、当該印刷装置で印刷する印刷データを特定する情報を含む印刷要求信号を前記印刷管理サーバに送信する印刷要求ステップと、
前記印刷要求信号に応じて、前記蓄積印刷用プリントサーバから送信される印刷データを受信して印刷する印刷ステップと、
前記受信ステップで受信した一覧を表示手段に表示する表示ステップと、
前記受信ステップで受信した印刷結果に従って、印刷実行できたと判定される印刷データを前記表示手段に表示した一覧から削除する削除ステップとを実行する
ことを特徴とする制御方法。
【請求項１１】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、印刷データを特定する情報を含む一覧と印刷結果とを受信し、受信した一覧を表示し、ユーザの指定に応じて出力指示された、当該印刷装置で印刷する印刷データを特定する情報を含む印刷要求信号を送信し、印刷要求信号に応じて、前記蓄積印刷用プリントサーバから送信される印刷データを受信して印刷し、受信した印刷結果に従って、印刷実行できたと判定される印刷データを一覧から削除する１又は複数の印刷装置と通信媒体を介して通信可能な印刷管理サーバの制御方法であって、
前記印刷管理サーバが、
前記蓄積印刷用プリントサーバから受信した前記印刷データを特定する情報を含む書誌情報データを記憶管理する書誌情報データ記憶ステップと、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信ステップと、
当該印刷要求信号受信ステップで受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力ステップと、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知ステップとを実行する
ことを特徴とする制御方法。
【請求項１２】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、前記蓄積印刷用プリントサーバから受信した前記印刷データを特定する情報を含む書誌情報データを記憶管理し、前記印刷データを特定する情報を含む一覧を送信し、当該送信された一覧からユーザによって出力指示された印刷データを特定する情報を含む印刷要求信号を受信し、受信した印刷要求信号に含まれる印刷データを特定する情報に対応する印刷データを出力すべく、当該印刷データを格納している前記蓄積印刷用プリントサーバに対して、印刷装置および前記印刷データを特定する情報を含む印刷命令信号を出力し、前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷管理サーバと通信媒体を介して通信可能な印刷装置の制御方法であって、
印刷装置が、
前記印刷管理サーバから前記印刷データを特定する情報を含む一覧と、前記印刷結果とを受信する受信ステップと、
ユーザの指定に応じて出力指示された、当該印刷装置で印刷する印刷データを特定する情報を含む印刷要求信号を前記印刷管理サーバに送信する印刷要求ステップと、
前記印刷要求信号に応じて、前記蓄積印刷用プリントサーバから送信される印刷データを受信して印刷する印刷ステップと、
前記受信ステップで受信した一覧を表示手段に表示する表示ステップと、
前記受信ステップで受信した印刷結果に従って、印刷実行できたと判定される印刷データを前記表示手段に表示した一覧から削除する削除手段とを実行する
ことを特徴とする制御方法。
【請求項１３】
１又は複数の情報処理装置と、蓄積印刷用プリントサーバと、印刷管理サーバと、１又は複数の印刷装置とが通信媒体を介して通信可能なプリントシステムで実行されるプログラムであって、
前記蓄積印刷用プリントサーバを、
前記情報処理装置で生成された印刷データを格納する格納手段と、
前記格納手段で格納された前記印刷データを特定する情報を含む書誌情報データを前記印刷管理サーバに送信する書誌情報データ送信手段と、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、
前記印刷データ出力手段で印刷データを出力したことにより得られる前記印刷データが印刷実行できたか否かを判定可能な情報と当該印刷データを特定する情報を含む出力結果を前記印刷管理サーバに通知する通知手段として機能させ、
前記印刷管理サーバを、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知手段として機能させ、
前記印刷装置を、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷する印刷手段と、
前記受信手段で受信した一覧を表示する表示手段と、
前記受信手段で受信した印刷結果に従って、印刷実行できたと判定される印刷データを前記表示手段で表示した一覧から削除する削除手段として機能させる
ことを特徴とするプログラム。
【請求項１４】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、印刷データを特定する情報を含む一覧と印刷結果とを受信し、受信した一覧を表示し、ユーザの指定に応じて出力指示された、当該印刷装置で印刷する印刷データを特定する情報を含む印刷要求信号を送信し、印刷要求信号に応じて、前記蓄積印刷用プリントサーバから送信される印刷データを受信して印刷し、受信した印刷結果に従って、印刷実行できたと判定される印刷データを一覧から削除する１又は複数の印刷装置と通信媒体を介して通信可能な印刷管理サーバで実行させるプログラムであって、
前記印刷管理サーバを、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知手段として機能させる
ことを特徴とするプログラム。
【請求項１５】
１又は複数の情報処理装置と、当該情報処理装置で生成された印刷データを格納し、格納された前記印刷データを特定する情報を含む書誌情報データを送信し、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力し、印刷データを出力したことにより得られる前記印刷データが印刷実行できたか否かを判定可能な情報と当該印刷データを特定する情報を含む出力結果を通知する蓄積印刷用プリントサーバと、前記蓄積印刷用プリントサーバから受信した前記印刷データを特定する情報を含む書誌情報データを記憶管理し、前記印刷データを特定する情報を含む一覧を送信し、当該送信された一覧からユーザによって出力指示された印刷データを特定する情報を含む印刷要求信号を受信し、受信した印刷要求信号に含まれる印刷データを特定する情報に対応する印刷データを出力すべく、当該印刷データを格納している前記蓄積印刷用プリントサーバに対して、印刷装置および前記印刷データを特定する情報を含む印刷命令信号を出力し、前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷管理サーバと通信媒体を介して通信可能な印刷装置で実行させるプログラムであって、
前記印刷装置を、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷する印刷手段と、
前記受信手段で受信した一覧を表示する表示手段と、
前記受信手段で受信した印刷結果に従って、印刷実行できたと判定される印刷データを前記表示手段で表示した一覧から削除する削除手段として機能させる
ことを特徴とするプログラム。
【手続補正２】
【補正対象書類名】明細書
【補正対象項目名】発明の名称
【補正方法】変更
【補正の内容】
【発明の名称】プリントシステムおよび印刷管理サーバおよび印刷装置およびプリントシステムの制御方法および印刷管理サーバの制御方法および印刷装置の制御方法およびプログラム
【手続補正３】
【補正対象書類名】明細書
【補正対象項目名】０００５
【補正方法】変更
【補正の内容】
【０００５】
本発明の目的は、プルプリントシステムにおいてプリントサーバに蓄積された印刷データを所望の印刷装置から出力させる際に、印刷実行できたと判定される印刷データを一覧から削除することで、どの印刷データの印刷実行がエラーになったのか、どの印刷データの印刷実行が成功したのかを容易に把握することができる仕組みを提供することである。
【手続補正４】
【補正対象書類名】明細書
【補正対象項目名】０００６
【補正方法】変更
【補正の内容】
【０００６】
本発明は、１又は複数の情報処理装置と、蓄積印刷用プリントサーバと、印刷管理サーバと、１又は複数の印刷装置とが通信媒体を介して通信可能なプリントシステムであって、前記蓄積印刷用プリントサーバは、前記情報処理装置で生成された印刷データを格納する格納手段と、前記格納手段で格納された前記印刷データを特定する情報を含む書誌情報データを前記印刷管理サーバに送信する書誌情報データ送信手段と、前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、前記印刷データ出力手段で印刷データを出力したことにより得られる前記印刷データが印刷実行できたか否かを判定可能な情報と当該印刷データを特定する情報を含む出力結果を前記印刷管理サーバに通知する通知手段とを有し、前記印刷管理サーバは、前記蓄積印刷用プリントサーバから受信した前記印刷データを特定する情報を含む書誌情報データを記憶管理する書誌情報データ記憶手段と、前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、前記蓄積印刷用プリントサーバから通知される出力結果に従って生成される、印刷実行できたか否かを判定可能な情報と印刷データを特定する情報を含む印刷結果を、前記印刷要求信号が送信された印刷装置に通知する印刷結果通知手段とを有し、前記印刷装置は、前記印刷管理サーバから前記印刷データを特定する情報を含む一覧と、前記印刷結果とを受信する受信手段と、ユーザの指定に応じて出力指示された、当該印刷装置で印刷する印刷データを特定する情報を含む印刷要求信号を前記印刷管理サーバに送信する印刷要求手段と、前記印刷要求信号に応じて、前記蓄積印刷用プリントサーバから送信される印刷データを受信して印刷する印刷手段と、前記受信手段で受信した一覧を表示する表示手段と、前記受信手段で受信した印刷結果に従って、印刷実行できたと判定される印刷データを前記表示手段で表示した一覧から削除する削除手段とを有することを特徴とする。
【手続補正５】
【補正対象書類名】明細書
【補正対象項目名】０００７
【補正方法】変更
【補正の内容】
【０００７】
本発明によれば、プルプリントシステムにおいてプリントサーバに蓄積された印刷データを所望の印刷装置から出力させる際に、印刷実行できたと判定される印刷データを一覧から削除することで、どの印刷データの印刷実行がエラーになったのか、どの印刷データの印刷実行が成功したのかを容易に把握することができる等の効果を奏する。